(57)【要約】【課題】複数枚の要素に分割された矩形の要素を台板上に隙間なく貼合わせることによって構成される大型屋外広告が強風等で容易に接合部から剥がれないようにすること。【解決手段】複数枚に分割された矩形の要素１０〜６０を台板上に隙間なく貼合わせることによって構成される屋外広告Ｐにおいて、要素１０〜６０の隣合う部分が、塗り足しＭの外側にある、印刷用インクが載っていない糊代Ｎによって、互いに強固に貼合わされるようにした。【選択図】図１
2006184808.tif 000002
【特許請求の範囲】
【請求項１】
複数枚に分割された矩形の要素を台板上に隙間なく貼合わせることによって構成される屋外広告であって、前記要素の隣合う部分が印刷用インクが載っていない糊代によって貼合わされることを特徴とする、屋外広告。
【請求項２】
前記要素が塗り足しを有し、前記糊代が該塗り足しの外側に設けられている、請求項１の屋外広告。
【請求項３】
左下の要素を最初に、左から右方向へ、及び／又は下から上方向に貼合わせられた、請求項１又は２の屋外広告。
【発明の詳細な説明】
【技術分野】
【０００１】
本発明は、屋外広告の技術分野に属する。
【背景技術】
【０００２】
街路の各所に設置される広告媒体として、広告ポスターを貼った広告塔や広告板をビルの屋上や外壁などに設置する、屋外広告がある。現代では、ビルの屋上や壁面又は道路沿いに、様々な広告塔や広告板を見ることができる。
【０００３】
このような屋外広告は、人通りの多い区域にある建物や土地を選び、そこに広告看板を立てる権利を獲得した後、広告情報を印刷した広告ポスターを広告板に貼り、それを設置したものである。
【０００４】
屋外広告は、より多くの人の視線を集めることを目的としているため、都市部などの建造物が密集している場所では、広告板を高所に設置する場合が多い。しかし、地表から離れた高所になるにつれ、より厳しい気象条件、すなわち、強風、豪雨、強い日光照射等の気象条件に耐えうる性質を持った広告ポスターが必要とされる。
【０００５】
屋外広告が遠く離れた位置からでも見えるためには、大型化（最大横幅１８メートルのものがある。）する必要があり、そのため、大型の広告板では、複数枚に分割された要素を台板（ボード）の上で隙間なく貼合わせることにより大きな一枚の広告にする工法が一般化している。
【０００６】
この場合、貼合わせ後に隣合う図柄が自然につながるようにするために、要素の側縁に、いわゆる、図柄の「塗り足し」がなされる。
【０００７】
しかし、このような工法で屋外広告を完成させると、一部が剥れて、見栄えが悪くなることがある。そうすると、補修作業が必要となるが、高所での作業をこなすことのできる、熟練の作業者が必要となる。しかし、そのような作業には時間や労力を必要とすることから、補修を少なくするために、広告板から剥れ難い屋外広告が求められる。
【０００８】
また、広告ポスターの印刷には、オフセット印刷（金属の製盤面からゴム等の弾性体に印刷インキを一度転写してから紙に印刷する方式）が多く用いられていたが、スクリーン印刷（紗・スクリーンの面に印刷インキを通過させない版幕を形成した印刷版を用いる孔版印刷方式）や、コンピュータの利用の増加に応じて、インクジェット印刷（インクの微細な粒子を紙に吹付けることにより印刷を行なう方式）を用いることが増えてきた。
【０００９】
インクジェット印刷は、オフセット印刷よりもインキ塗膜を厚くすることができるので、濃度が高く、発色が鮮明で、且つ、隠蔽性や耐光性のよい広告ポスターを印刷できる。また、刷出しに要する用紙もオフセット印刷に比べて少なくすることができる。
【発明の開示】
【発明が解決しようとする課題】
【００１０】
大型化した屋外広告を台板に貼る場合、疎水性の高い油性インキが塗り足しに印刷されていると、貼合わせのために用いる水溶性の接着剤（糊）と油性インキが塗膜されている被接着面との接着性がよくないという問題があった。
その結果、強風により、屋外広告が剥がれるという問題が発生していた。
【課題を解決するための手段】
【００１１】
本発明は、複数枚に分割された矩形の要素を台板上に隙間なく貼合わせることによって構成される屋外広告であって、前記要素の隣合う部分が印刷用インクが載っていない糊代によって貼合わされることを特徴とする屋外広告により、前記課題を解決した。
【００１２】
なお、広告要素の貼合わせは、左下の要素を最初に、左から右方向へ、及び／又は下から上方向に貼合わせるのが標準である。
【発明の効果】
【００１３】
本発明によれば、広告板を気象条件の厳しい高所に設置した場合においても、分割された要素の隣合うもの同士が印刷用インクが載っていない糊代によって互いに貼合わされるので、接着剤（糊）の接着機能が強固に発揮され、接合面から剥がれ難くなる。
【発明を実施するための最良の形態】
【００１４】
図１は、本発明を実施する際の、大型の屋外広告を６つの要素に分割した状態を示した正面図である。
【００１５】
本発明に用いる大型屋外広告Ｐを分割した要素１０〜６０は矩形で、隣合う部分に、前述の塗り足しＭ（印刷用インクは載っている。）と、接着材を塗布するための糊代Ｎ（印刷用インクは載っていない。）を設けてある。
【００１６】
この塗り足しＭの幅に限定はないが、標準的には１０ｍｍである。
【００１７】
また、この糊代Ｎの幅にも限定はないが、標準的には３０ｍｍとする。
【００１８】
図２は、この屋外広告の要素を互いに接合して一体化する方法を示した斜視図である。
まず、要素１０の裏面に接着剤（糊）を塗り、台板（図示せず。）の左角に貼る。次に、その要素１０の右辺の塗り足しＭと糊代Ｎを、要素３０の左辺で覆い、且つ、印刷された情報が適合するように揃えて接合する。次に、上記と同様に、要素３０の右辺に要素５０を貼る。
【００１９】
次に、要素１０の上辺の塗り足しＭと糊代Ｎを、要素２０の下辺で覆うように貼る。そして、その要素２０の右辺に、要素４０、そして要素６０を前記と同様に揃えて貼って行く。
【００２０】
前記貼合わせの順序は、１０→３０→５０→２０→４０→６０としたが、１０→２０→３０→４０→５０→６０の順序でもよく。要は、左下の要素を最初に、左から右方向へ、及び／又は下から上方向に貼合わせることにより、雨水等が接合箇所から中に浸入せず、自然に流れ落ちるようにすることが必要である。
【００２１】
また、台板の設置場所によっては、風向き等を考慮して、貼合わせる方向を、右下の要素を最初に、右から左方向へと変更してもよい。
【００２２】
なお、台板は、通常、額縁に似た形状をしており、縁には隙間が設けられているので、その隙間に、完成後に外縁となる位置にある各要素の塗り足しＭが入り込むようにして貼って行く。
【００２３】
図３は、以上のようにして屋外広告の要素を互いに接合して一体化した完成状態の正面図である。
【図面の簡単な説明】
【００２４】
【図１】本発明の屋外広告の要素を分割した状態で示した正面図。
【図２】本発明の屋外広告の要素を接合して一体化する方法を示した斜視図。
【図３】本発明の屋外広告の要素が互いに接合され一体化した状態の正面図。
【符号の説明】
【００２５】
１０〜６０：（屋外広告）要素
Ｎ：糊代    Ｍ：塗り足し
【図１】
2006184808.tif 000003
【図２】
2006184808.tif 000004
【図３】
2006184808.tif 000005